(57)【要約】【課題】飲料の調理中に販売口扉が開かれるのを防止できるうえに、販売口扉の内側やカップ載置部内を清掃できるカップ式飲料自動販売機を提供する。【解決手段】販売口の後側に、カップを配置するカップ配置部を設ける。販売口には、手動操作で開閉可能とする販売口扉を設ける。販売口扉を販売口の閉鎖位置でロックするロック機構を設ける。飲料を調理してカップ配置部のカップに注出する調理手段を備える。待機中はロック機構による販売口扉のロックを解除し、販売口扉の内側やカップ載置部内の清掃を可能とする。調理手段で飲料を調理する調理中は、ロック機構で販売口扉をロックする。【選択図】図１
2009237982.tif 000002
【特許請求の範囲】
【請求項１】
販売口と、
この販売口の後側に設けられ、カップが配置されるカップ配置部と、
前記販売口を手動操作で開閉可能とする販売口扉と、
この販売口扉を前記販売口の閉鎖位置でロックするロック機構と、
飲料を調理して前記カップ配置部のカップに注出する調理手段と、
待機中は前記ロック機構による前記販売口扉のロックを解除させ、前記調理手段で飲料を調理する調理中は前記ロック機構で前記販売口扉をロックさせる制御部と
を具備していることを特徴とするカップ式飲料自動販売機。
【請求項２】
貨幣を受け付ける貨幣処理部と、
飲料を選択する飲料選択手段とを具備し、
制御部は、前記貨幣処理部で貨幣を受け付けるとともに前記飲料選択手段で飲料が選択されたら、前記ロック機構で前記販売口扉をロックさせ、前記調理手段で飲料の調理を開始させる
ことを特徴とする請求項１記載のカップ式飲料自動販売機。
【請求項３】
制御部は、調理手段による飲料の調理および飲料のカップへの注出の終了後に、前記ロック機構による前記販売口扉のロックを解除させる
ことを特徴とする請求項１または２記載のカップ式飲料自動販売機。
【請求項４】
カップ配置部に内蔵のカップを供給するカップ供給部と、
非内蔵のカップの使用を選択する非内蔵カップ選択手段とを具備し、
制御部は、前記非内蔵カップ選択手段が選択されていなければ飲料の調理時に前記カップ供給部からカップを供給させ、前記非内蔵カップ選択手段が選択されたら飲料の調理時に前記カップ供給部からのカップの供給を停止させる
ことを特徴とする請求項１ないし３いずれか記載のカップ式飲料自動販売機。
【請求項５】
調理手段は、飲料の調理箇所およびカップ配置部に至る飲料の注出経路を洗浄する洗浄機能を有し、
制御部は、前記調理手段の洗浄時に、ロック機構で販売口扉をロックさせる
ことを特徴とする請求項１ないし４いずれか記載のカップ式飲料自動販売機。
【発明の詳細な説明】
【技術分野】
【０００１】
本発明は、カップに飲料を注出するカップ式飲料自動販売機に関する。
【背景技術】
【０００２】
従来、カップ式飲料自動販売機では、選択された飲料を調理してカップに注出し、この飲料入りカップを機体の前面に設けられた販売口から取り出せるようにしている。
【０００３】
販売口の後側にはカップが配置されるカップ配置部が設けられ、販売口には販売口扉が開閉可能に設けられている。
【０００４】
この販売口扉には、自動開閉式のものと、手動開閉式のものとがあり、手動開閉式のものは常に開閉できるものが多い。常に手動開閉できる販売口扉の場合、飲料を調理してカップに注出している最中にも、販売口扉を開いて、手を販売口に入れられるおそれがある。
【０００５】
そこで、待機中を含めてカップの取出時以外は販売口扉を閉鎖位置でロックし、カップの取出時にのみ販売口扉のロックを解除するようにしたカップ式飲料自動販売機がある。
【０００６】
この販売口扉のロック機構を備えたカップ式飲料自動販売機では、カップを載せるカップ載置台がばね付勢によって上方に揺動することにより、販売口扉をロックし、また、カップ載置台上のカップに飲料が注出されていくに従って、飲料の重さでばね付勢に抗してカップ載置台が下方に揺動することにより、販売口扉のロックを解除し、販売口扉を開いてカップを取り出せるようにしている（例えば、特許文献１参照。）。
【０００７】
また、販売口扉のロック機構を備えたカップ式飲料自動販売機として、カップを搬送台に載せて搬送しながらカップ内で飲料を調理するカップ搬送方式を採用したカップ式飲料自動販売機がある。このカップ式飲料自動販売機では、販売口扉を閉鎖位置でロックするロック片を備えており、搬送台が販売口の位置より後方へ離反した位置を待機位置とし、この待機中や調理中も含めて、搬送台が販売口の位置にない状態において、ばね付勢されているロック片によって販売口扉をロックしており、また、カップに飲料を入れた搬送台が販売口の位置に移動することにより、ロック片に搬送台が当接してばね付勢に抗してロック片による販売口扉のロックを解除し、販売口扉を開いてカップを取り出せるようにしている（例えば、特許文献２参照。）。
【特許文献１】実開平５−４８０８６号公報（第９−１０頁、図５−８）
【特許文献２】特開２００２−４９９５９号公報（第２−３頁、図１−５）
【発明の開示】
【発明が解決しようとする課題】
【０００８】
カップ式飲料自動販売機では、飲料をカップの上方から注出するため、飲料がカップの周囲に飛び跳ね、販売口扉の内面やカップ配置部内が汚れやすく、一般に透明な販売口扉を通じて汚れが見えてしまう。
【０００９】
従来の販売口扉のロック機構を備えたカップ式飲料自動販売機では、待機中も販売口扉をロックしているため、このカップ式飲料自動販売機の設置先の管理担当者等が販売口扉の内面やカップ配置部内を清掃したいと思ってもできない不具合があった。
【００１０】
本発明は、このような点に鑑みなされたもので、飲料の調理中に販売口扉が開かれるのを防止できるうえに、販売口扉の内側やカップ載置部内を清掃できるカップ式飲料自動販売機を提供することを目的とする。
【課題を解決するための手段】
【００１１】
請求項１記載のカップ式飲料自動販売機は、販売口と、この販売口の後側に設けられ、カップが配置されるカップ配置部と、前記販売口を手動操作で開閉可能とする販売口扉と、この販売口扉を前記販売口の閉鎖位置でロックするロック機構と、飲料を調理して前記カップ配置部のカップに注出する調理手段と、待機中は前記ロック機構による前記販売口扉のロックを解除させ、前記調理手段で飲料を調理する調理中は前記ロック機構で前記販売口扉をロックさせる制御部とを具備しているものである。
【００１２】
請求項２記載のカップ式飲料自動販売機は、請求項１記載のカップ式飲料自動販売機において、貨幣を受け付ける貨幣処理部と、飲料を選択する飲料選択手段とを具備し、制御部は、前記貨幣処理部で貨幣を受け付けるとともに前記飲料選択手段で飲料が選択されたら、前記ロック機構で前記販売口扉をロックさせ、前記調理手段で飲料の調理を開始させるものである。
【００１３】
請求項３記載のカップ式飲料自動販売機は、請求項１または２記載のカップ式飲料自動販売機において、制御部は、調理手段による飲料の調理および飲料のカップへの注出の終了後に、前記ロック機構による前記販売口扉のロックを解除させるものである。
【００１４】
請求項４記載のカップ式飲料自動販売機は、請求項１ないし３いずれか記載のカップ式飲料自動販売機において、カップ配置部に内蔵のカップを供給するカップ供給部と、非内蔵のカップの使用を選択する非内蔵カップ選択手段とを具備し、制御部は、前記非内蔵カップ選択手段が選択されていなければ飲料の調理時に前記カップ供給部からカップを供給させ、前記非内蔵カップ選択手段が選択されたら飲料の調理時に前記カップ供給部からのカップの供給を停止させるものである。
【００１５】
請求項５記載のカップ式飲料自動販売機は、請求項１ないし４いずれか記載のカップ式飲料自動販売機において、調理手段は、飲料の調理箇所およびカップ配置部に至る飲料の注出経路を洗浄する洗浄機能を有し、制御部は、前記調理手段の洗浄時に、ロック機構で販売口扉をロックさせるものである。
【発明の効果】
【００１６】
請求項１記載のカップ式飲料自動販売機によれば、調理手段で飲料を調理する調理中はロック機構で販売口扉をロックし、販売口扉が開かれるのを防止できるうえに、待機中はロック機構による販売口扉のロックを解除するため、販売口扉の内側やカップ載置部内を清掃できる。
【００１７】
請求項２記載のカップ式飲料自動販売機によれば、請求項１記載のカップ式飲料自動販売機の効果に加えて、貨幣処理部で貨幣を受け付けるとともに飲料選択手段で飲料が選択されたら、ロック機構で販売口扉をロックさせ、調理手段で飲料の調理を開始するため、待機中に販売口扉のロックを解除していても、飲料の調理中には販売口扉が開かれるのを確実に防止できる。
【００１８】
請求項３記載のカップ式飲料自動販売機によれば、請求項１または２記載のカップ式飲料自動販売機の効果に加えて、調理手段による飲料の調理および飲料のカップへの注出の終了後に、ロック機構による販売口扉のロックを解除するため、飲料の調理途中で販売口扉が開かれるのを確実に防止できる。
【００１９】
請求項４記載のカップ式飲料自動販売機によれば、請求項１ないし３いずれか記載のカップ式飲料自動販売機の効果に加えて、非内蔵のカップの使用が選択された場合、待機中に販売口扉を開いて非内蔵のカップをカップ配置部に配置し、非内蔵のカップに飲料を注出できるため、販売口扉のロックの設定を変えることなく、そのまま対応できる。
【００２０】
請求項５記載のカップ式飲料自動販売機によれば、請求項１ないし４いずれか記載のカップ式飲料自動販売機の効果に加えて、待機中には販売口扉のロックを解除していても、調理手段の洗浄時には、ロック機構で販売口扉をロックし、調理手段の洗浄機能により飲料の調理箇所およびカップ配置部に至る飲料の注出経路を洗浄するため、洗浄中に販売口扉が開かれるのを防止できる。
【発明を実施するための最良の形態】
【００２１】
以下、本発明の実施の形態を、図面を参照して説明する。
【００２２】
図５および図６に示すように、11は選択された飲料を調理してカップに注出して販売するカップ式飲料自動販売機であり、このカップ式飲料自動販売機11は、主にオフィス等の屋内に設置される屋内設置用で、販売機本体12と、この販売機本体12の前面に開閉可能に設けられた扉体13とを備えている。
【００２３】
扉体13の前面には、販売する飲料を表示した複数の商品表示部15、各商品表示部15毎に設けられた商品を選択する複数の飲料選択手段としての飲料選択ボタン16、原料の増減や有無等を選択する複数のお好み選択ボタン17、非内蔵のカップつまり購入者が所有するカップを利用する場合に選択する非内蔵カップ選択手段としてのマイカップ利用ボタン18、硬貨を投入する硬貨投入部19、紙幣を投入する紙幣投入部20、投入した貨幣を返却させる返却レバー21、釣銭硬貨や返却硬貨を返却する硬貨返却口22、投入金額、温度、飲料の調理完成までのカウントダウン等を表示する表示部23、飲料入りカップを取り出す販売口24等が配設されている。
【００２４】
販売口24は、販売口枠25の内側に設けられ、この販売口枠25に取り付けられた販売口扉26によって開閉可能としている。販売口枠25の上部には、飲料の調理中に例えば点滅表示する調理中表示部27が設けられている。
【００２５】
また、扉体13の背面には、貨幣処理部30として、硬貨投入部19に投入された硬貨を処理する硬貨処理部31、および紙幣投入部20に投入された紙幣を処理する紙幣処理部32が配置されている。販売口24の上方には、内蔵用の複数のカップ33を収納し、カップ33を１つずつ下方へ放出して供給するカップ供給部34が配設されている。
【００２６】
また、販売機本体12内には、販売口24の後側に、カップ33を配置するカップ配置部としてのベントステージ37が配設されている。このベントステージ37は、前面に向けて開口した箱状で、上面には扉体13の閉時に上方に配置されるカップ供給部34から供給されるカップ33を受け入れる開口部38が形成されている。ベントステージ37内には、カップ33を載せるスノコ39、カップ33を両側から開閉可能に保持するカップホルダ40が設けられている。両側のカップホルダ40間には、カップ供給部34から供給されるカップ33を上方から受け入れて保持可能とするとともに、販売口24から非内蔵のカップを配置可能とする。
【００２７】
販売機本体12の下部には水を供給する給水タンク43が配置され、販売機本体12の上部には給水タンク43から給水を受けて図示しないヒータで所定温度に沸き上げた湯を貯湯し、供給可能とする湯タンク44が配置されているとともに、給水タンク43から給水を受けて氷を作成し、供給可能とする製氷機45が配置されている。そして、氷入り飲料の場合に、製氷機45で製造された氷が氷供給路46を通じてベントステージ37のカップ33内に供給される。
【００２８】
ベントステージ37の後側上方には、飲料の粉末原料を収納し、供給可能とする複数のキャニスタ49が配置され、これらキャニスタ49の下側に各キャニスタ49から供給される粉末原料と湯タンク44から供給される湯または給水タンク43から供給される水とを攪拌混合して調理する複数のミキシングボール50が配置されている。これらミキシングボール50で調理された飲料は、図示しない注出経路を通じてベントステージ37のカップ33内に注出される。
【００２９】
ベントステージ37の一側上方には、レギュラーコーヒーのコーヒー豆を収納し、供給可能とする複数のキャニスタ53が配置され、これらキャニスタ53の下側にコーヒー豆を挽くコーヒーミル54が配置され、このコーヒーミル54の下側にコーヒー粉と湯タンク44から供給される湯とでコーヒー飲料を調理するブルワ55が配置されている。このブルワ55で調理されたコーヒー飲料は、図示しない注出経路を通じて一方のミキシングボール50に送られた後、必要に応じて砂糖やクリームを混合して調理し、ミキシングボール50の注出経路を通じてベントステージ37のカップ33内に注出される。
【００３０】
ブルワ55の下側には使用済みのコーヒー粉を収納するかす容器58が配置され、このかす容器58の下側には機内で発生するドレン水を受け入れる排水容器59が配置されている。
【００３１】
次に、図３ないし図５に示すように、販売口扉26は、この販売口扉26の一側に設けられた鉛直方向の軸62が販売口枠25に回動可能に取り付けられることにより、手動操作で軸62を中心として販売口扉26が回動して販売口24を開閉可能とし、図示しないスプリングで販売口24を閉鎖する閉鎖位置に向けて付勢されている。
【００３２】
販売口枠25の背面上部には、販売口扉26を販売口24の閉鎖位置でロックするロック機構65が取り付けられている。このロック機構65は、販売口枠25の背面側に取り付けられたブラケット66にロックレバー67の中間部が軸支部材68で揺動可能に軸支され、このロックレバー67の一端下部にロック爪69が突設されている。販売口扉26の上部には、閉鎖位置でロックレバー67のロック爪69が係合可能とするロック孔70が形成されている。
【００３３】
ロックレバー67の他端には駆動手段としてのソレノイド71のプランジャ72に連結されている。このソレノイド71に通電した励磁時には、ロックレバー67のロック爪69がロック孔70に係合して販売口扉26をロックし、また、ソレノイド71への通電を解除した非励磁時には、図示しないスプリングの付勢によってロックレバー67のロック爪69がロック孔70から上方に外れ、販売口扉26のロックを解除する。
【００３４】
なお、販売口枠25には、販売口扉26が閉鎖位置にあることを検知する扉閉鎖検知手段を配置してもよい。
【００３５】
次に、図２に示すように、カップ式飲料自動販売機11を制御する制御部81を備え、この制御部81には、貨幣処理部30、飲料選択手段としての飲料選択ボタン16、非内蔵カップ選択手段としてのマイカップ利用ボタン18、飲料を調理する調理手段82、およびロック機構65のソレノイド71等が接続されている。
【００３６】
調理手段82には、給水タンク43、湯タンク44、製氷機45、キャニスタ49、ミキシングボール50、ミキシングボール50からの注出経路、キャニスタ53、コーヒーミル54、ブルワ55、ブルワ55から一方のミキシングボール50への注出経路等が含まれる。この調理手段82は、ミキシングボール50やブルワ55などの飲料の調理箇所、およびベントステージ37に至る飲料の各注出経路に湯タンク44から湯を流して自動洗浄する洗浄機能を有している。
【００３７】
そして、制御部81は、待機中はロック機構65による販売口扉26のロックを解除させ、調理手段82で飲料を調理する調理中はロック機構65で販売口扉26をロックさせ、調理手段82による飲料の調理および飲料のカップ33への注出の終了後にロック機構65による販売口扉26のロックを解除させる機能を有している。より具体的には、貨幣処理部30で貨幣を受け付けるとともに飲料選択ボタン16で飲料が選択されたら、ロック機構65で販売口扉26をロックさせ、調理手段82で飲料の調理を開始させる機能を有している。
【００３８】
さらに、制御部81は、マイカップ利用ボタン18が選択されていなければ飲料の調理時にカップ供給部34からカップ33を供給させ、マイカップ利用ボタン18が選択されたら飲料の調理時にカップ供給部34からのカップ33の供給を停止させる機能を有している。このマイカップ利用ボタン18の選択の有無は、少なくとも飲料選択ボタン16の選択によって確定し、つまり、購入者の所有するカップを利用する場合には、マイカップ利用ボタン18を選択操作してから、飲料選択ボタン16を選択操作する。
【００３９】
また、制御部81は、調理手段82の洗浄時に、ロック機構65で販売口扉26をロックさせる機能を有している。
【００４０】
次に、本実施の形態の作用を説明する。
【００４１】
まず、カップ式飲料自動販売機11の飲料調理および販売口扉26のロックの動作を、図１のフローチャートを参照して説明する。
【００４２】
カップ式飲料自動販売機11の待機状態では（ステップ１）、ロック機構65のソレノイド71への通電を解除した非励磁状態にあって（ステップ２）、ロックレバー67のロック爪69が販売口扉26のロック孔70から上方に外れて販売口扉26のロックを解除しており、販売口扉26を手動操作で開閉可能となっている。
【００４３】
購入者の所有するカップを利用する場合には、少なくとも飲料選択ボタン16の選択操作前に、販売口扉26を手動で開き、購入者所有のカップを販売口24からベントステージ37内に配置し、マイカップ利用ボタン18を選択操作する。
【００４４】
購入者によって硬貨投入部19に硬貨が投入されたり紙幣投入部20に紙幣が投入されるとともに（ステップ３）、飲料の販売価格以上の貨幣が投入されて選択可能となった飲料選択ボタン16が選択操作されたら（ステップ４）、ソレノイド71に通電して励磁し、ロックレバー67のロック爪69が販売口扉26のロック孔70に係合し、販売口扉26をロックする（ステップ５）。
【００４５】
このとき、販売口扉26が閉鎖位置にあることを扉閉鎖検知手段で検知していることを条件にソレノイド71に通電して励磁するようにすれば、販売口扉26を確実にロックすることができる。また、販売口扉26が閉鎖位置になければ、ソレノイド71に通電せず、表示部23等で販売口扉26を閉じるように報知し、その後、販売口扉26の閉鎖が扉閉鎖検知手段で検知されたら、販売口扉26をロックするようにしてもよい。
【００４６】
販売口扉26をロックした後、選択された飲料の調理を調理手段82で開始する（ステップ６）。
【００４７】
このとき、マイカップ利用ボタン18が選択されていなければ、カップ供給部34からカップ33をベントステージ37に供給し、調理手段82で調理された飲料はベントステージ37のカップ33内に注出する。
【００４８】
一方、マイカップ利用ボタン18が選択されていれば、カップ供給部34からカップ33を供給せず、調理手段82で調理された飲料はベントステージ37に予め配置されている購入者所有のカップ内に注出する。
【００４９】
そして、調理手段82による飲料の調理およびカップ33または購入者所有のカップへの飲料の注出が終了したら（ステップ７）、待機状態に復帰し、ロック機構65のソレノイド71への通電を解除して非励磁とし、ロックレバー67のロック爪69が販売口扉26のロック孔70から上方に外れて販売口扉26のロックを解除する。
【００５０】
そのため、購入者によって販売口扉26を手動操作で開放し、手を販売口24に差し入れて飲料入りのカップ33または購入者所有のカップを取り出す。開放操作した販売口扉26から手を離せば、スプリング付勢によって販売口扉26は販売口24の閉鎖位置に自動的に戻る。
【００５１】
このように、調理手段82で飲料を調理する調理中は、ロック機構65で販売口扉26をロックするため、誤って販売口扉26が開かれるのを防止できる。
【００５２】
また、待機中は、ロック機構65による販売口扉26のロックを解除するため、カップ式飲料自動販売機11の管理担当者が販売口扉26を手動開放し、販売口扉26の内側やベントステージ37内を清掃できる。
【００５３】
しかも、購入者が所有するカップの使用が選択された場合、待機中に販売口扉26を開いて購入者所有のカップをベントステージ37に配置し、そのカップに飲料を注出できるため、販売口扉26のロックの設定を変えることなく、そのまま対応できる。
【００５４】
また、貨幣処理部30で貨幣を受け付けるとともに飲料選択ボタン16で飲料が選択されたら、ロック機構65で販売口扉26をロックさせ、調理手段82で飲料の調理を開始するため、待機中に販売口扉26のロックを解除していても、飲料の調理中には販売口扉26が開かれるのを確実に防止できる。
【００５５】
さらに、調理手段82による飲料の調理および飲料のカップ33または購入者所有のカップへの注出の終了後に、ロック機構65による販売口扉26のロックを解除するため、飲料の調理途中で販売口扉26が開かれるのを確実に防止できる。
【００５６】
また、小さいスペースでロック機構65を取り付けられるため、小形のカップ式飲料自動販売機11にも適用できる。
【００５７】
なお、このカップ式飲料自動販売機11は、主にオフィス等の屋内に設置される屋内設置用であるため、待機中に販売口扉26のロックを解除していても、いたずらされる可能性が低い。
【００５８】
次に、調理手段82の自動洗浄の動作を、図７のフローチャートを参照して説明する。
【００５９】
カップ式飲料自動販売機11の待機状態では（ステップ11）、ロック機構65のソレノイド71への通電を解除した非励磁状態にあって（ステップ12）、ロックレバー67のロック爪69が販売口扉26のロック孔70から上方に外れて販売口扉26のロックを解除しており、販売口扉26を手動操作で開閉可能となっている。
【００６０】
１回の飲料注出動作後、予め設定された飲料注出動作回数毎、あるいは予め設定された時間毎に、調理手段82の自動洗浄を行う。
【００６１】
調理手段82の自動洗浄を開始する所定時間前、例えば１０秒前になったら（ステップ13）、ソレノイド71に通電して励磁し、ロックレバー67のロック爪69が販売口扉26のロック孔70に係合し、販売口扉26をロックする（ステップ14）。
【００６２】
このときも、販売口扉26が閉鎖位置にあることを扉閉鎖検知手段で検知していることを条件にソレノイド71に通電して励磁するようにすれば、販売口扉26を確実にロックすることができる。また、販売口扉26が閉鎖位置になければ、ソレノイド71に通電せず、表示部23等で販売口扉26を閉じるように報知し、販売口扉26の閉鎖が扉閉鎖検知手段で検知されたら、販売口扉26をロックするようにしてもよい。
【００６３】
販売口扉26をロックした後、調理手段82の自動洗浄を開始する時間になったら（ステップ15）、調理手段82の自動洗浄を開始する（ステップ16）。この自動洗浄では、ミキシングボール50やブルワ55などの飲料の調理箇所、およびベントステージ37に至る飲料の各注出経路に湯タンク44から湯を流して洗浄する。洗浄に使用した湯は、ミキシングボール50からの注出経路を通じてベントステージ37に排出され、このベントステージ37から排水容器59に回収される。
【００６４】
そして、調理手段82の自動洗浄が終了したら（ステップ17）、待機状態に復帰し、ロック機構65のソレノイド71への通電を解除して非励磁とし、ロックレバー67のロック爪69が販売口扉26のロック孔70から上方に外れて販売口扉26のロックを解除する。
【００６５】
このように、待機中には販売口扉26のロックを解除していても、調理手段82の洗浄時には、ロック機構65で販売口扉26をロックし、調理手段82の洗浄機能により飲料の調理箇所およびベントステージ37に至る飲料の注出経路を洗浄するため、誤って洗浄中に販売口扉26が開かれるのを防止できる。
【００６６】
なお、販売口扉26の手動操作による開閉は、鉛直方向の軸62を中心とした回動開閉に限らず、左右方向や上下方向へのスライド開閉、水平方向の軸を中心とした回動開閉等、いずれでもよい。
【図面の簡単な説明】
【００６７】
【図１】本発明の一実施の形態を示すカップ式飲料自動販売機において、飲料調理および販売口扉のロックの動作を説明するフローチャートである。
【図２】同上カップ式飲料自動販売機のブロック図である。
【図３】同上カップ式飲料自動販売機の販売口および販売口扉を背面側から見た斜視図である。
【図４】同上販売口扉のロック機構の斜視図である。
【図５】同上カップ式飲料自動販売機の斜視図である。
【図６】同上カップ式飲料自動販売機の内部構造を示す斜視図である。
【図７】同上カップ式飲料自動販売機の調理手段の自動洗浄の動作を説明するフローチャートである。
【符号の説明】
【００６８】
11    カップ式飲料自動販売機
16    飲料選択手段としての飲料選択ボタン
18    非内蔵カップ選択手段としてのマイカップ利用ボタン
24    販売口
26    販売口扉
30    貨幣処理部
33    カップ
34    カップ供給部
37    カップ配置部としてのベントステージ
65    ロック機構
81    制御部
82    調理手段
【図１】
2009237982.tif 000003
【図２】
2009237982.tif 000004
【図３】
2009237982.tif 000005
【図４】
2009237982.tif 000006
【図５】
2009237982.tif 000007
【図６】
2009237982.tif 000008
【図７】
2009237982.tif 000009